(57)【要約】【課題】本発明は放電生成物発生装置に関するもので、部屋の湿度状況により除湿手段と発生手段を制御して、脱臭効果を高めるものである。【解決手段】そしてこの目的を達成するために本発明は、本体ケース１の風路に設けた送風手段２と、除湿手段３と、放電生成物を発生させる放電生成物発生手段と、本体ケース１外の空気の湿度を測定する湿度測定部７と、送風手段と放電生成物発生手段とを運転および停止させる操作部８と、湿度測定部７の測定値によって除湿手段３を制御する制御部９とから構成し、制御部９は、送風手段および放電生成物発生手段の運転時に、湿度測定部７の測定値が所定の値より小さい場合には、除湿手段３を停止させ、送風手段によって本体ケース１外の空気と放電生成物とを吹出口から送風し、湿度測定部７の測定値が所定の値より大きい場合には、除湿手段３を運転させ、送風手段によって除湿した空気と放電生成物とを吹出口から送風する。【選択図】図１
2013185805.tif 000002
【特許請求の範囲】
【請求項１】
吸気口と吹出口を有する本体ケースと、前記吸気口から前記吹出口へ連通する風路と、この風路に設けた送風手段と、除湿手段と、前記風路に放電生成物を発生させる放電生成物発生手段と、前記本体ケース外の空気の湿度を測定する湿度測定部と、前記送風手段と放電生成物発生手段とを運転および停止させる操作部と、前記湿度測定部の測定値によって前記除湿手段を制御する制御部とから構成し、この制御部は、前記送風手段および放電生成物発生手段の運転時に、前記湿度測定部の測定値が所定の値より小さい場合には、前記除湿手段を停止させ、前記送風手段によって本体ケース外の空気と前記放電生成物とを前記吹出口から送風し、前記湿度測定部の測定値が所定の値より大きい場合には、前記除湿手段を運転させ、前記送風手段によって除湿した空気と前記放電生成物とを前記吹出口から送風することを特徴とする放電生成物発生装置。
【請求項２】
前記湿度測定部の測定値が所定の値より大きい場合には、加熱手段によって、前記吹出口から送風する空気を加熱することを特徴とする請求項１に記載の放電生成物発生装置。
【請求項３】
前記放電生成物発生手段は、放電電極と、この放電電極に対向して配置された対向電極と、前記放電電極を冷却する冷却部と、前記対向電極と前記放電電極間に電圧を印加する高圧印加部とから構成していることを特徴とする請求項１または２に記載の放電生成物発生装置。
【発明の詳細な説明】
【技術分野】
【０００１】
本発明は、高電圧を印加することにより放電生成物を生成する放電生成物発生装置に関する。
【背景技術】
【０００２】
従来のこの種の放電生成物発生装置の構成は以下のようになっていた。
【０００３】
すなわち、吹出口と吸込口とを設けた本体ケースと、この本体ケース内の前記吸込口から前記吹出口への風路に放電生成物発生手段を備えた構成となっていた。
【０００４】
（例えば、これに類似する先行文献は下記特許文献１に記載されている。）
【先行技術文献】
【特許文献】
【０００５】
【特許文献１】特開２００５−２７９３３０号公報
【発明の概要】
【発明が解決しようとする課題】
【０００６】
上記従来例における課題は、洗いにくい衣類等を室内に吊り下げた状態で、臭気の分解等に活用された場合、部屋の湿度状況より効果が異なることであった。
【０００７】
すなわち、従来の物においては、放電生成物発生手段が、放電生成物生成し、それを衣類に向けて送風していた。
【０００８】
ここで、部屋の湿度が高い場合は、湿った風を衣類にあてることになるので、衣類が吸湿してしまい菌等が繁殖しやすい環境になってしまう。
【０００９】
そこで本発明は、部屋の湿度状況により除湿手段と放電生成物発生装置を制御して、省エネに配慮しつつ脱臭効果を高めることを目的とするものである。
【課題を解決するための手段】
【００１０】
そしてこの目的を達成するために、本発明は、吸気口と吹出口を有する本体ケースと、前記吸気口から前記吹出口へ連通する風路と、この風路に設けた送風手段と、除湿手段と、前記風路に放電生成物を発生させる放電生成物発生手段と、前記本体ケース外の空気の湿度を測定する湿度測定部と、前記送風手段と放電生成物発生手段とを運転および停止させる操作部と、前記湿度測定部の測定値によって前記除湿手段を制御する制御部とから構成し、この制御部は、前記送風手段および放電生成物発生手段の運転時に、前記湿度測定部の測定値が所定の値より小さい場合には、前記除湿手段を停止させ、前記送風手段によって本体ケース外の空気と前記放電生成物とを前記吹出口から送風し、前記湿度測定部の測定値が所定の値より大きい場合には、前記除湿手段を運転させ、前記送風手段によって除湿した空気と前記放電生成物とを前記吹出口から送風する構成としたものである。
【００１１】
これにより初期の目的を達成するものである。
【発明の効果】
【００１２】
以上のように本発明は、部屋の湿度状況により除湿手段と放電生成物発生装置を制御して、省エネに配慮しつつ脱臭効果を高めることが出来るものである。
【００１３】
すなわち、本体ケース外の空気の湿度を測定する湿度測定部と、送風手段と放電生成物発生手段とを運転および停止させる操作部と、湿度測定部の測定値によって除湿手段を制御する制御部とから構成し、この制御部は、送風手段および放電生成物発生手段の運転時に、湿度測定部の測定値が所定の値より小さい場合には、除湿手段を停止させ、送風手段によって本体ケース外の空気と放電生成物とを吹出口から送風し、湿度測定部の測定値が所定の値より大きい場合には、除湿手段を運転させ、送風手段によって除湿した空気と放電生成物とを吹出口から送風できる構成したものである。
【００１４】
これらの結果により、部屋の湿度状況により除湿手段と放電生成物発生装置を制御して、省エネに配慮しつつ脱臭効果を高めることができるものである。
【図面の簡単な説明】
【００１５】
【図１】本発明の実施形態１の放電生成物発生装置の断面概略図
【図２】同放電生成物発生装置を示す概略図
【図３】本発明の実施形態２の放電生成物発生装置の断面概略図
【発明を実施するための形態】
【００１６】
（実施の形態１）
以下本発明の一実施形態を添付図面を用いて説明する。
【００１７】
図１、２に示すように、本実施形態の放電生成物発生装置は、本体ケース１内には、送風手段である第一の送風手段２ａと、静電霧化手段５とを備えている。静電霧化手段５は、放電生成物発生手段の１例である。本体ケース１は、略縦長箱形状で、この本体ケース１の背面側側面部に、略四角形状の第一の吸気口４ａおよび第二の吸気口４ｂと本体ケース１外の空気の湿度を測定する湿度測定部７を設け、本体ケース１の天面部には、略四角形状の吹出口６と運転および停止を操作する操作部８を、湿度測定部７の測定値によって除湿手段を制御する制御部９を備えている。
【００１８】
第一の送風手段２ａは、本体ケース１の第一の吸気口４ａと、吹出口６との間の風路に設けられ、第一の吸気口４ａと第一の送風手段２ａとの間の風路には除湿手段３を備えている。
【００１９】
具体的には、除湿手段３は、ヒートポンプ１０と除湿ローター１１とから形成し、ヒートポンプ１０は、圧縮機１２と、圧縮機１２の下流に順次設けた放熱器１３、膨張手段１４、吸熱器１５とにより形成している。
【００２０】
第一の送風手段２ａによって、第一の吸気口４ａから本体ケース１内に吸気した空気を放熱器１３、吸熱器１５を順次介して吹出口６へと送風する。
【００２１】
第一の送風手段２ａの風路であって放熱器１３と吸熱器１５の間には、回動自在に除湿ローター１１を設けており、この除湿ローター１１は、放湿部１１ａと吸湿部１１ｂとを備えている。
【００２２】
除湿ローター１１の放湿部１１ａは、放熱器１３と吸熱器１５との間の風路に設け、除湿ローター１１の吸湿部１１ｂは、吸熱器１５と吹出口６との間の風路に設けた構成としたものである。
【００２３】
なお、第一の送風手段２ａは少なくとも２種類の風量に切り替えが可能である。
【００２４】
ここで、除湿動作について説明すると、第一の送風手段２ａによって第一の吸気口４ａから本体ケース１内に吸気した空気は、放熱器１３で加熱され、高温で相対湿度の低い空気となり、除湿ローター１１の放湿部１１ａへ送風される。
【００２５】
この放湿部１１ａに送風された空気は、放湿部１１ａの湿気を取り込み湿度の高い状態となって吸熱器１５へ送られる。
【００２６】
この吸熱器１５で結露させて除湿し、吸湿部１１ｂに達する。
【００２７】
そこで、乾燥状態となった除湿ローター１１の放湿部１１ａが駆動手段１６によって回転し、吸湿部１１ｂとなり、吸熱器１５で除湿されなかった湿度をこの吸湿部１１ｂで吸湿し除湿する。
【００２８】
この除湿した空気を、第一の送風手段２ａによって、吹出口６から室内へ送風する。
【００２９】
ここで、静電霧化手段５は、対向電極１７と放電電極１８間に高電圧を印加すると共に、第二の吸気口４ｂから室内空気を、放電電極１８部分で冷却し結露させことで、放電生成物の１例である帯電微粒子水を発生させるので、第一の送風手段２ａによって、除湿した空気と共に、帯電微粒子水を吹出口６へと送風するものである。
【００３０】
図２に示すように、この静電霧化手段５は、放電電極１８と、この放電電極１８に対向して配置された対向電極１７と、これらの対向電極１７と放電電極１８間に高電圧（この実施形態では−５ＫＶ）を印加する高電圧印部１９と、放電電極１８を冷却する冷却部として配置したペルチェ素子２０と、このペルチェ素子２０の熱を放熱する放熱フィン２１とを備えている。
【００３１】
ペルチェ素子２０は０．７５Ｖ〜２．８Ｖ程度の電圧を印加するものであり、この実施形態では、放電電極１８側を低温に、放熱フィン２１側を高温にする。室内空気が、この放電電極１８部分で冷却されることで、結露すると、帯電微粒子水が発生することになる。
【００３２】
このため、帯電微粒子水が、空気とともに、吹出口６から本体ケース１外に吹出され、帯電微粒子水中のヒドロキシルラジカルが臭いと反応し、それを酸化させることで、臭いを分解することができるのである。
【００３３】
なお、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により臭いが分解、除去されるのである。
【００３４】
これにより、除湿した空気と共に、帯電微粒子水を吹出口６から室内へと送風できるので、洗濯物に送風した場合は、洗濯物を乾燥できると共に、洗濯物の生乾き特有の臭いと反応し、それを酸化させることで、臭いの発生を抑制することができ、洗いにくい衣類に送風した場合は、脱臭効果を得るものである。
【００３５】
本実施形態における特徴は、すなわち、本体ケース１外の空気の湿度を測定する湿度測定部７と、送風手段２と静電霧化手段５とを運転および停止させる操作部８と、湿度測定部７の測定値によって除湿手段３を制御する制御部９とから構成している。この制御部９は、送風手段２および静電霧化手段５の運転時に、湿度測定部７の測定値が所定の値より小さい場合には、除湿手段３を停止させ、送風手段２によって本体ケース１外の空気と帯電微粒子水とを吹出口６から送風し、湿度測定部７の測定値が所定の値より大きい場合には、除湿手段３を運転させ、第一の送風手段２ａによって除湿した空気と帯電微粒子水とを吹出口６から送風できる構成としたものである。
【００３６】
これらの結果により、部屋の湿度状況により除湿手段３と静電霧化手段５を制御して、省エネに配慮しつつ脱臭効果を高めることが出来るものである。
【００３７】
具体的には、相対湿度６０％以上の場合は、高湿度の空気をそのまま送風するだけでは衣類が湿度を吸湿し、菌等が繁殖しやすい環境になり、匂いの発生を助長してしまうことになるため、除湿手段３と静電霧化手段５を制御して、除湿した空気と帯電微粒子水を生成し送風することで、衣類が吸湿することを防ぎ、菌等が繁殖しにくい環境をつくることで脱臭効果を得る。
【００３８】
また、発生原理的に静電霧化手段５は、部屋の湿度が高湿度（相対湿度８５％以上）条件では安定的に帯電微粒子水を生成しないので、除湿手段３を運転させることで、安定的に帯電微粒子水を生成させるという効果もある。
【００３９】
次に、相対湿度２０〜６０％の場合は、適度な湿度の空気なので、除湿手段３の運転を停止した状態で、帯電微粒子水を生成し送風することで、省エネに配慮しつつ菌等が繁殖しにくい環境をつくることで脱臭効果を得る。
【００４０】
次に、相対湿度２０％以下の場合は、部屋の湿度が低湿度なので、除湿手段３と静電霧化手段５の運転を停止した状態で、送風することで十分早く乾燥状態をつくることができるため、菌等の繁殖時間がなく、省エネに配慮しつつ脱臭効果を得ることが出来る。
【００４１】
（実施の形態２）
以下、本発明の実施の形態２における放電生成物発生装置について図面を参照しながら説明する。なお、実施の形態１の構成と同様の構成を有するものについては、同一符号を付してその説明を省略する。
【００４２】
実施の形態１と相違する点は、図３に示すように、本体ケース１内に加熱手段２２と、送風手段である第二の送風手段２ｂとを設け、加熱手段２２を第一の吸気口４ａと第一の送風手段２ａとの間の風路に備え、第二の送風手段２ｂによって第一の吸気口４ａから加熱手段２２を介して吹出口６へと送風する構成とした点である。
【００４３】
具体的には加熱手段２２でもある放熱器１３を第一の吸気口４ａと第一の送風手段２ａとの間の風路に備えたものである。
【００４４】
この第二の送風手段２ｂによって、第一の吸気口４ａから本体ケース１内に吸気した空気を、加熱手段２２でもある放熱器１３によって加熱し、加熱した空気と共に、帯電微粒子水を吹出口６へと送風するものである。
【００４５】
すなわち、第一の送風手段２ａによって、除湿した空気を吹出口６から室内へ送風し、第二の送風手段２ｂによって、加熱した空気と共に、帯電微粒子水を吹出口６へと送風するものである。
【００４６】
これにより、除湿した空気と加熱した空気と共に、帯電微粒子水を吹出口６から室内へと送風できるので、洗濯物に送風した場合は、洗濯物を乾燥できると共に、洗濯物の生乾き特有の臭いと反応し、それを酸化させることで、臭いの発生を抑制することができ、洗いにくい衣類に送風した場合は、脱臭効果を得るものである。
【００４７】
具体的には、相対湿度６０％以上の場合は、高湿度の空気をそのまま送風するだけでは衣類が湿度を吸湿し、菌等が繁殖しやすい環境になり、匂いの発生を助長してしまうことになる。そこで、除湿手段３と加熱手段２２と静電霧化手段５を制御して、除湿した空気と加熱した空気と帯電微粒子水を生成し送風することで、衣類が吸湿することを防ぎ、菌等が繁殖しにくい環境をつくることで脱臭効果と衣類が少し温まることで肌触りや起毛効果によりふっくらして触感が良くなるという効果を得る。
【００４８】
また、発生原理的に静電霧化手段５は、部屋の湿度が高湿度（相対湿度８５％以上）条件では安定的に帯電微粒子水を生成しないので、除湿手段３を運転させることで、安定的に帯電微粒子水を生成させるという効果もある。
【００４９】
次に、相対湿度２０〜６０％の場合は、適度な湿度の空気なので、除湿手段３の運転を停止した状態で、加熱した空気と帯電微粒子水を生成し送風することで、省エネに配慮しつつ菌等が繁殖しにくい環境をつくることで脱臭効果と衣類が少し温まることで肌触りや起毛効果によりふっくらして触感が良くなるという効果を得る。
【００５０】
次に、相対湿度２０％以下の場合は、部屋の湿度が低湿度なので、除湿手段３と加熱手段２２と静電霧化手段５の運転を停止した状態で、送風することで十分早く乾燥状態をつくることができるため、菌等の繁殖時間がなく、省エネに配慮しつつ脱臭効果を得ることが出来る。
【産業上の利用可能性】
【００５１】
以上のように本発明は、部屋の湿度状況により除湿手段と放電生成物発生手段を制御して、省エネに配慮しつつ脱臭効果を高めることが出来るものである。
【００５２】
すなわち、本体ケース外の空気の湿度を測定する湿度測定部と、送風手段と放電生成物発生手段とを運転および停止させる操作部と、湿度測定部の測定値によって除湿手段を制御する制御部とから構成し、この制御部は、送風手段および放電生成物発生手段の運転時に、湿度測定部の測定値が所定の値より小さい場合には、除湿手段を停止させ、送風手段によって本体ケース外の空気と放電生成物とを吹出口から送風し、湿度測定部の測定値が所定の値より大きい場合には、除湿手段を運転させ、送風手段によって除湿した空気と放電生成物とを吹出口から送風できる構成したものである。
【００５３】
これらの結果により、部屋の湿度状況により除湿手段と放電生成物発生手段を制御して、省エネに配慮しつつ脱臭効果を高めることができるものである。
【００５４】
従って、家庭用や事務所用などの、放電生成物発生装置として活用が期待されるものである。
【符号の説明】
【００５５】
１    本体ケース
２ａ  第一の送風手段
２ｂ  第二の送風手段
３    除湿手段
４ａ  第一の吸気口
４ｂ  第二の吸気口
５    静電霧化手段
６    吹出口
７    湿度測定部
８    操作部
９    制御部
１０    ヒートポンプ
１１    除湿ローター
１１ａ  放湿部
１１ｂ  吸湿部
１２    圧縮機
１３    放熱器
１４    膨張手段
１５    吸熱器
１６    駆動手段
１７    対向電極
１８    放電電極
１９    高電圧印部
２０    ペルチェ素子
２１    放熱フィン
２２    加熱手段
【図１】
2013185805.tif 000003
【図２】
2013185805.tif 000004
【図３】
2013185805.tif 000005